(57)【要約】      （修正有）【課題】消費可能な飲料を消費に先立ち好適に加熱および/もしくは冷却することができ、ボトル内の内容物を混合した後、好適にボトル口からの液体の流れに干渉せず、操作が比較的容易である、消費可能な飲料と少なくとも一つの添加剤を使用前に分離して収容できるボトルを提供する。【解決手段】第1の区画室12は飲料20を収容するようになっているキャビテイ30を規定している。第1の区画室12は1枚パネル張りであるか、もしくは、熱エネルギー貯蔵物質28がその間に位置する2枚パネル張りであることができる。第2の区画室14はねじ接続で第1の区画室に取り外し可能に取着されることが好ましく、少なくとも一つの添加剤62を保持するようになっている。【選択図】図１
2008120456.tif 000002
【特許請求の範囲】
【請求項１】
消費可能な飲料の加熱および冷却の少なくともいずれかをなすようになっている、消費可能な飲料のための、再利用可能な２区画部飲料ボトルであって、
消費可能な飲料を収容するようになっているキャビテイを規定している第１の区画部であって、
このキャビテイを形成している内側パネルと、
この内側パネルと共に、外側パネルとほぼ同一の広がりを有する室を形成している、外側パネルと、
この室内に位置する熱エネルギー貯蔵物質と、を備える第１の区画部と、
前記第１の区画部に取り外し可能に取着され、少なくとも１つの添加剤を保持するようになっている第２の区画部であって、少なくとも１つのチャネルが位置づけられて前記第１および第２の区画部を接続する少なくとも１つの通路を形成する第１の位置と、この少なくとも１つのチャネルが前記第１および第２の区画部が分離されるように位置づけられた第２の位置との間で収容可能である、少なくとも１つのチャネルを備える第２の区画部と、
前記第２の区画部に取り外し可能に係合された蓋と、
を具備し、
前記少なくとも１つのチャネルが前記第１の位置にある時に、前記第１の区画部からの消費可能な飲料が前記第２の区画部に入ることを可能にするようになっている、飲料ボトル。
【請求項２】
前記少なくとも１つのチャネルは、前記蓋を回転することによって前記第１の位置と第２の位置との間で移動される、請求項１に記載の飲料ボトル。
【請求項３】
前記蓋は、前記第２の区画部の上縁を受けるよう構成された周方向の溝を有し、この周方向の溝は、前記蓋が前記第２の区画部の前記上縁に沿ってスライドすることを可能にしている、請求項２に記載の飲料ボトル。
【請求項４】
前記第２の区画部は、
少なくとも１つの貫通した開口を規定している底面プレートと、
この底面プレートに回転可能に接続され、貫通した前記少なくとも１つのチャネルを規定している回転可能なプレートと、を備え、前記回転可能なプレートが前記少なくとも１つのチャネルが前記第１の位置にあるように構成された時に、前記少なくとも１つの開口および前記少なくとも１つのチャネルはアラインメントされて少なくとも１つの通路を形成している、請求項１に記載の飲料ボトル。
【請求項５】
前記回転可能なプレートに位置する少なくとも１つの案内柱と、
前記蓋の内面に位置して、前記蓋を回転することが前記回転可能なプレートを回転するように前記少なくとも１つの案内柱を係合するよう構成された少なくとも１つのシャフトと、
をさらに具備する、請求項４に記載の飲料ボトル。
【請求項６】
２つの案内柱と、２つのシャフトとを具備し、前記２つのシャフトは、前記２つの案内柱の一部分に沿ってスライドすることで前記２つの案内柱を係合する、請求項５に記載の飲料ボトル。
【請求項７】
前記回転可能なプレートは、これの周辺の部分に沿って案内スロットを有する、請求項５に記載の飲料ボトル。
【請求項８】
前記回転可能なプレートは、前記案内スロット内に延在している第１および第２の突起を有する、請求項７に記載の飲料ボトル。
【請求項９】
前記案内スロットとのスライド可能な係合のために前記第２の区画部に位置しているストッパーをさらに具備し、前記第１および第２の突起は、前記少なくとも１つのチャネルが前記第１および第２の位置のいずれか一方から移動されるように動作される前記回転可能なプレートに対して抵抗を与えるよう構成されている、請求項８に記載の飲料ボトル。
【請求項１０】
前記室内の前記熱エネルギー貯蔵物質が前記第１の区画部の外観に影響を及ぼすように、前記内側および外側パネルはほぼ半透明である、請求項１に記載の飲料ボトル。
【請求項１１】
前記内側および外側パネルは、相互に取り外し不可能に取着されている、請求項１０に記載の飲料ボトル。
【請求項１２】
消費可能な飲料のための再利用可能な２区画部飲料ボトルであって、
消費可能な飲料を収容するようになっているキャビテイを規定している第１の区画部と、
前記第１の区画部に取り外し可能に取着され、少なくとも１つの添加剤を保持するようになっており、少なくとも１つのチャネルが位置づけられて前記第１および第２の区画部を接続する少なくとも１つの通路を形成する第１の位置と、この少なくとも１つのチャネルが前記第１および第２の区画部が分離されるように位置づけられた第２の位置との間で収容可能である、少なくとも１つのチャネルを備える第２の区画部と、
前記第２の区画部に取り外し可能に係合された蓋と、
を具備し、
前記少なくとも１つのチャネルが前記第１の位置にある時に、前記第１の区画部からの消費可能な飲料は前記第２の区画部に入ることを可能にするようになっている、飲料ボトル。
【請求項１３】
前記第１および第２の区画部は、互いにねじで取り付けられている、請求項１２に記載の飲料ボトル。
【請求項１４】
前記少なくとも１つのチャネルは、前記蓋の回転により前記第１の位置と第２の位置との間で移動される、請求項１２に記載の飲料ボトル。
【請求項１５】
前記第２の区画部は、
少なくとも１つの貫通した開口を規定している底面プレートと、
前記底面プレートに回転可能に接続され、貫通した前記少なくとも１つのチャネルを規定している回転可能なプレートと、
を備え、
前記回転可能なプレートが前記少なくとも１つのチャネルが前記第１の位置にあるように構成された時に、前記少なくとも１つの開口および前記少なくとも１つのチャネルはアラインメントされて少なくとも１つの通路を形成する、請求項１２に記載の飲料ボトル。
【請求項１６】
前記回転可能なプレート上に位置している少なくとも１つの案内柱と、
前記蓋の内面上に位置して、前記蓋の回転により前記回転可能なプレートが回転するように前記少なくとも１つの案内柱を係合するよう構成された少なくとも１つのシャフトと、
をさらに具備する、請求項１５に記載の飲料ボトル。
【請求項１７】
２つの案内柱と２つのシャフトとを具備し、前記２つのシャフトは、前記２つの案内柱の部分にわたってスライドすることで前記２つの案内柱と係合する、請求項１６に記載の飲料ボトル。
【請求項１８】
前記回転可能なプレートは、これの周辺の部分に沿って案内スロットを有する、請求項１６に記載の飲料ボトル。
【請求項１９】
前記回転可能なプレートは、前記案内スロット内に延在している第１および第２の突起を有する、請求項１８に記載の飲料ボトル。
【請求項２０】
前記案内スロットとのスライド可能な係合のために前記第２の区画部に位置しているストッパーをさらに具備し、前記第１および第２の突起は、前記少なくとも１つのチャネルが前記第１および第２の位置のいずれか一方から移動されるように動作される前記回転可能なプレートに対して抵抗を与えるよう構成された、請求項１９に記載の飲料ボトル。
【請求項２１】
消費可能な飲料のための、再利用可能な２区画部飲料ボトルであって、
消費可能な飲料を収容するようになっているキャビテイを規定している第１の区画部と、
前記第１の区画部の上に位置して、少なくとも１つの添加剤を保持するようになっている第２の区画部であって、少なくとも１つのチャネルが位置づけられて前記第１および第２の区画部を接続する少なくとも１つの通路を形成する第１の位置と、この少なくとも１つのチャネルが前記第１および第２の区画部が分離されるように位置づけられた第２の位置との間で収容可能である、少なくとも１つのチャネルを備える第２の区画部と、
前記第２の区画部に取り外し可能に係合された蓋と、
を備え、
前記少なくとも１つのチャネルが前記第１の位置にある時に、前記第１の区画部からの消費可能な飲料は前記第２の区画部に入ることを可能とするようになっており、前記蓋を回転させることで前記少なくとも１つのチャネルが前記第１および第２の位置の間で移動される、飲料ボトル。
【請求項２２】
前記第２の区画部は、
少なくとも１つの貫通した開口を規定している底面プレートと、
前記底面プレートに回転可能に接続され、貫通した前記少なくとも１つのチャネルを規定している回転可能なプレートと、
を備え、
前記回転可能なプレートが前記少なくとも１つのチャネルが前記第１の位置にあるように構成された時に、前記少なくとも１つの開口および前記少なくとも１つのチャネルはアラインメントされて少なくとも１つの通路を形成する、請求項２１に記載の飲料ボトル。
【請求項２３】
前記回転可能なプレートは、前記底面プレート内のボアを貫通いるように延びたシャフトを有し、このシャフトの末端がこのシャフトをボア内に固定するフランジを含む、請求項２２に記載の飲料ボトル。
【請求項２４】
前記回転可能なプレート上に位置している少なくとも１つの案内柱と、
前記蓋の内面に位置し、前記蓋の回転が前記回転可能なプレートを回転させるように、前記少なくとも１つの案内柱と係合するよう構成された、少なくとも１つのシャフトと、
をさらに備える、請求項２２に記載の飲料ボトル。
【請求項２５】
飲料ボトルを組み立てる方法であって、
消費可能な飲料をこの中に収容するようになっているキャビテイと口とを規定する第１の区画部を提供することと、
少なくとも１つの添加剤を保持するようになっている第２の区画部を提供することと、
前記口が密閉されることができるように、前記第２の区画部を前記第１の区画部に取り付けることと、
蓋を前記第２の区画部に取り付けることと、
を具備し、
前記蓋の第１の方向への回転は、前記第１および第２の区画部の間に少なくとも１つの通路を作成することをもたらし、前記蓋の第２の反対の方向への回転は、前記第１および第２の区画部を分離することをもたらし、飲料ボトルの操作はこの飲料ボトルの前記第１および第２の区画部を再び分離するこの飲料ボトルの機能を減少させず、したがってこの飲料ボトルが再利用されて、前記第１および第２の区画部を用いて他の消費可能な飲料および他の少なくとも１つの添加剤を再び分離して維持することを可能にする、方法。
【請求項２６】
前記少なくとも１つの通路が用いられて前記消費可能な飲料と少なくとも１つの添加剤を混合した後、前記飲料ボトルが前記第１および第２の区画部を分離して維持するよう再び構成されるように、前記少なくとも１つのチャネルは前記第２の位置に移動されることができるように構成されている、請求項１に記載の飲料ボトル。
【請求項２７】
前記少なくとも１つの通路が用いられて前記消費可能な飲料と少なくとも１つの添加剤を混合した後、前記飲料ボトルが前記第１および第２の区画部を分離して維持するよう再び構成されるように、前記少なくとも１つのチャネルは前記第２の位置に移動されることができるように構成されている、請求項１２に記載の飲料ボトル。
【請求項２８】
前記少なくとも１つの通路が用いられて前記消費可能な飲料と少なくとも１つの添加剤を混合した後、前記飲料ボトルが前記第１および第２の区画部を分離して維持するよう再び構成されるように、前記少なくとも１つのチャネルは前記第２の位置に移動されることができるように構成されている、請求項２１に記載の飲料ボトル。
【請求項２９】
消費可能な飲料の加熱および冷却の少なくともいずれかをなすようになっている、消費可能な飲料のための、再利用可能な２区画部飲料ボトルであって、
消費可能な飲料を収容するようになっているキャビテイを規定している第１の区画部であって、
このキャビテイを形成している内側パネルと、
この内側パネルと共に、外側パネルとほぼ同じ広がりを有する室を形成する、外側パネルと、
この室内に位置する熱エネルギー貯蔵物質と、を備えた第１の区画部と、
前記第１の区画部の上に位置して、少なくとも１つの添加剤を保持するようになっている第２の区画部であって、少なくとも１つのチャネルが位置づけられて前記第１および第２の区画部を接続する少なくとも１つの通路を形成する第１の位置と、この少なくとも１つのチャネルが前記第１および第２の区画部が分離されるように位置づけられた第２の位置の間を収容可能である、少なくとも１つのチャネルを備える第２の区画部と、
前記第２の区画部上に位置する蓋と、
を具備し、
前記少なくとも１つのチャネルが前記第１の位置にある時に、前記第１の区画部からの消費可能な飲料が前記第２の区画部に入ることを可能にするようになっている、飲料ボトル。
【請求項３０】
消費可能な飲料のための、再利用可能な２区画部飲料ボトルであって、
消費可能な飲料を収容するようになっているキャビテイを規定している第１の区画部と、
前記第１の区画部の上に位置して、少なくとも１つの添加剤を保持するようになっている第２の区画部であって、少なくとも１つのチャネルが位置づけられて前記第１および第２の区画部を接続する少なくとも１つの通路を形成する第１の位置と、この少なくとも１つのチャネルが前記第１および第２の区画部が分離されるように位置づけられた第２の位置との間で収容可能である、少なくとも１つのチャネルを備える第２の区画部と、
前記第２の区画部上に位置する蓋と、
を具備し、
前記少なくとも１つのチャネルが前記第１の位置にある時に、前記第１の区画部からの消費可能な飲料は前記第２の区画部に入ることを可能にするようになっており、前記蓋を回転させることで前記少なくとも１つのチャネルが前記第１および第２の位置の間で移動される、飲料ボトル。
【発明の詳細な説明】
【技術分野】
【０００１】
本発明は、飲料ボトル、より具体的には、消費可能な飲料および少なくとも１つの添加剤を、混合が所望されるまで分離して貯蔵することのできる飲料ボトルに関する。
【背景技術】
【０００２】
従来の飲料ボトルの圧倒的多数は、消費可能な飲料を貯蔵する単一の区画部を有し、かくして後から飲料に混合するためにフレーバーを分離して貯蔵することはできない。いくつかの改良していないディスペンサー機構は現在、消費可能な飲料から分離してフレーバーを維持することができるが、このような機構は、ホイルなどを破って調剤する１回限りのディスペンサーを用いることを伴う。このことは、飲料ボトルを消費可能な飲料を添加剤から分離して貯蔵する容器として再利用されることを妨げる。さらに、未改良のディスペンサーの多くは、ボトルの注入口の中に位置してボトルキャップとしても機能し、それによって使用後のボトルからの液体の流れを減少させる。
【０００３】
未完成の使用が１回限りであるディスペンサー機構を有する従来の飲料ボトルはまた、使用前に飲料を冷たく、もしくは温かく維持することができない。従来技術の熱エネルギー貯蔵パックは、貯蔵コンテナ内の内容物を加熱されたもしくは冷却された状態に保つために用いられることが通常知られている。たとえば、冷凍サーマルパックは冷凍されることのできる熱エネルギー貯蔵物質であらかじめ満たされ、食料や飲料などのクーラーの内容物を所定の時間、低温状態に保つべく、クーラーなどの断熱容器内に食料と共に配置される。このような熱エネルギー物質は、凍結水のほぼ１０〜１５倍の熱容量を有し、したがって氷のみに比べて長時間、クーラーの内容物を低温状態に保つ。このようなコールドパックは、これを使用の間に冷凍することにより何度も再利用されることができ、また、溶けた液体がクーラー内の品物に接触する問題を回避している。しかし、可能ならば、コールドパックを飲料ボトル内に取り付けることが常に便利というわけではない。
【０００４】
電子レンジもしくはその他の手段であらかじめ加熱され、クーラー内に熱を与えて所定の時間ボックス内の食品貯蔵容器を温かく維持するために、クーラー内に配置されることができる、熱を保つエネルギー貯蔵物質がまた知られている。これらのヒートパックもしくはコールドパックは通常、適するならば、飲料ボトルと共に用いるのに常に適するとはいえない所定のサイズで提供される。
【発明の開示】
【発明が解決しようとする課題】
【０００５】
好適に再利用可能であり、消費可能な飲料を消費に先立ち好適に加熱および／もしくは冷却することができ、ボトル内の内容物を混合した後、好適にボトル口からの液体の流れに干渉せず、大人にとっても子供にとっても操作することが比較的容易である、消費可能な飲料と少なくとも１つの添加剤とを使用前に分離して収容できる飲料ボトルを提供することは有利であろう。
【課題を解決するための手段】
【０００６】
簡単に言えば、本発明の一実施形態は、消費可能な飲料のための２区画部飲料ボトルを対象とする。飲料ボトルは、消費可能な飲料を収容するようになっているキャビテイを規定している第１の区画部を含む。第１の区画部は、キャビテイを形成している内側パネルを含む。外側パネルは、内側パネルと共に、外側パネルとほぼ同じ広がりを有する室を形成している。熱エネルギー貯蔵物質は、室内に位置している。第２の区画部は、第１の区画部に取り外し可能に取着され、少なくとも１つの添加剤を保持するようになっている。第２の区画部は、第１および第２の区画部を接続する少なくとも１つの通路を形成するために少なくとも１つのチャネルが位置づけられた第１の位置と、少なくとも１つのチャネルが第１および第２の区画部が分離されるように位置づけられた第２の位置との間を収容可能である、少なくとも１つのチャネルを含む。蓋が、第２の区画部に取り外し可能に係合される。飲料ボトルは、少なくとも１つのチャネルが第１の位置にある時に、第１の区画部からの消費可能な飲料が第２の区画部に入ることを可能にするようになっている。
【０００７】
別の態様で、本発明は、消費可能な飲料のための２区画部飲料ボトルを対象とする。飲料ボトルは、消費可能な飲料を収容するようになっているキャビテイを規定している第１の区画部を含む。第２の区画部は、第１の区画部に取り外し可能に取着され、少なくとも１つの添加剤を保持するようになっている。第２の区画部は、少なくとも１つのチャネルが位置づけられて第１および第２の区画部を接続する少なくとも１つの通路を形成する第１の位置と、第１および第２の区画部が分離されるように少なくとも１つのチャネルが位置づけられた第２の位置との間を収容可能である、少なくとも１つのチャネルを含む。蓋が、第２の区画部に取り外し可能に係合される。飲料ボトルは、少なくとも１つのチャネルが第１の位置にある時に、第１の区画部からの消費可能な飲料が第２の区画部に入ることを可能にするようにになっている。
【０００８】
別の態様で、本発明は、消費可能な飲料のための２区画部飲料ボトルを対象とする。飲料ボトルは、消費可能な飲料を収容するようになっているキャビテイを規定している第１の区画部を含む。第２の区画部が第１の区画部の上に位置して、少なくとも１つの添加剤を保持するよう構成される。第２の区画部は、少なくとも１つのチャネルが位置づけられて第１および第２の区画部を接続する少なくとも１つの通路を形成する第１の位置と、第１および第２の区画部が分離されるように少なくとも１つのチャネルが位置づけられた第２の位置との間で収容可能である、少なくとも１つのチャネルを含む。蓋が第２の区画部に取り外し可能に係合され、飲料ボトルは、少なくとも１つのチャネルが第１の位置にある時に、第１の区画部からの消費可能な飲料が第２の区画部に入ることを可能にするようになっている。少なくとも１つのチャネルは、蓋を回転させることにより、第１および第２の位置の間を移動される。
【０００９】
別の態様で、本発明は、飲料ボトルを組み立てる方法を対象とする。この方法は、消費可能な飲料をこの中に収容するようになっているキャビテイを規定している第１の区画部を提供することであって、第１の区画部は口を規定していることと、少なくとも１つの添加剤を保持するようになっている第２の区画部を提供することと、口が密閉されることができるように、第２の区画部を第１の区画部に取り付けることと、蓋を第２の区画部に取り付けることと、を含み、蓋を第１の方向に回転させることは、第１および第２の区画部の間に少なくとも１つの通路を作成することをもたらし、蓋を第２の反対の方向に回転させることは、第１および第２の区画部を分離することをもたらす。
【００１０】
他の態様で、本発明は、少なくとも消費可能な飲料の加熱および冷却のいずれかをなすようになっている、消費可能な飲料のための、再利用可能な２区画部飲料ボトルを対象とする。飲料ボトルは、消費可能な飲料を収容するようになっているキャビテイを規定している第１の区画部を含む。第１の区画部は、キャビテイを形成している内側パネルを含む。外側パネルは、内側パネルと共に、外側パネルとほぼ同じ広がりを有する室を形成している。熱エネルギー貯蔵物質は室内に位置している。第２の区画部は、第１の区画部の上に位置して、少なくとも１つの添加剤を保持するようになっている。第２の区画部は、少なくとも１つのチャネルが位置づけられて第１および第２の区画部を接続する少なくとも１つの通路を形成第１の位置と、第１および第２の区画部が分離されるように少なくとも１つのチャネルが位置づけられた第２の位置との間を収容可能である、少なくとも１つのチャネルを含む。蓋が、第２の区画部に位置する。飲料ボトルは、少なくとも１つのチャネルが第１の位置にある時に、第１の区画部から消費可能な飲料が第２の区画部に入ることを可能にするようになっている。
【００１１】
他の態様で、本発明は、消費可能な飲料のための、再利用可能な２区画部飲料ボトルを対象とする。飲料ボトルは、消費可能な飲料を収容するようになっているキャビテイを規定している第１の区画部を含む。第２の区画部は、第１の区画部の上に位置して、少なくとも１つの添加剤を保持するようになっている。第２の区画部は、少なくとも１つのチャネルが位置づけられて第１および第２の区画部を接続する少なくとも１つの通路を形成する第１の位置と、第１および第２の区画部が分離されるように少なくとも１つのチャネルが位置づけられる第２の位置との間で収容可能である、少なくとも１つのチャネルを含む。蓋が、第２の区画部の上に位置される。飲料ボトルは、少なくとも１つのチャネルが第１の位置にある時に第１の区画部からの消費可能な飲料が第２の区画部に入ることを可能にするようになっている。少なくとも１つのチャネルは、蓋を回転させることで第１および第２の位置の間で移動される。
【発明を実施するための最良の形態】
【００１２】
本発明の好ましい実施形態の以下の詳細な説明および上記の要約は、添付の図面と共に読まれる時、より良く理解されるであろう。本発明を説明する目的で、図面には現在好適である実施形態が示される。しかし、本発明は示される正確な配置および手段に限定されないことが理解される。
【００１３】
以下の説明において、ある用語が便宜のためのみに用いられ、これは限定的なものではない。「右側」、「左側」、「上部」、「下部」の単語は、参照される図面内においての方向を示す。「内側に」、「外側に」の単語は、飲料ボトルの幾何学的中心に向かう方向、幾何学的中心から離れる方向および示される部分にそれぞれ言及する。請求項および明細書の対応する部分で用いられる「添加剤」の用語は、「粉末、個体、液体、第２の消費可能な飲料、香料、サプリメントのうちいずれか１つもしくは組み合わせ」を意味している。本発明の範囲から逸脱することなく、消費可能な飲料は第２の区画部に位置づけられ、少なくとも１つの添加剤が第１の区画部に位置づけられるであろうことに留意されたい。したがって、請求項および明細書の対応する部分で用いられる「消費可能な飲料を収容するようになっている」の表現は、排他的ではなく、これが受けることのできる消費可能な飲料に加えて、「任意の消費可能な飲料、スープ、ヨーグルト、添加剤、アイスクリームもしくはその他の食材もしくはサプリメント」を含むことができる。同様に、請求項および明細書の対応する部分で用いられる「少なくとも１つの添加剤を保持するようになっている」の表現は、排他的ではなく、これが受けることのできる添加剤に加えて「任意の消費可能な飲料、スープ、ヨーグルト、アイスクリーム、もしくはその他の食材もしくはサプリメント」を含むことができる。請求項および明細書の対応する部分で用いられる「『Ａ』、『Ｂ』、『Ｃ』のうちの少なくとも１つ」なる用語は、「少なくとも１つの『Ａ』を有する任意のグループ、もしくは少なくとも１つの『Ｂ』を有する任意のグループ、もしくは少なくとも１つの『Ｃ』を有する任意のグループ、であって、グループが『Ａ』、『Ｂ』、『Ｃ』のそれぞれのうちの少なくとも１つを有することを必要とする」を意味している。また、「ａ」と「ｏｎｅ」の単語は、その他特に述べられない限りは、言及された項目の１以上を含むものと規定される。用語は、上記に特に言及された単語、この派生物、類似の意味の単語を含んでいる。
【００１４】
全図面を通して同様の参照符号が同様の要素を示す、図１ないし９を参照して、本発明にしたがった飲料ボトルの好ましい実施形態が、全体を通して１０で示されている。簡単に言えば、飲料ボトル１０は、人が消費可能な飲料２０および添加剤６２を所望の時まで分離して維持することを可能としている、再利用可能なボトルであることが好ましい。
【００１５】
図１に示されるように、本発明は、第１の区画部１２、第２の区画部１４、蓋４０を備える飲料ボトル１０に関する。飲料ボトル１０は、耐久性があり、洗浄可能な、ポリエチレンテレフタレート（ＰＥＴ）、ポリ塩化ビニル（ＰＶＣ）、ポリフタレートカーボネート（ＰＰＣ）もしくはその他の任意の適した物質などの、食品安全高分子物質から作られることが好ましい。たとえば、飲料ボトルは、本発明の範囲から逸脱することなく、アルミニウムもしくは食品用スチールで形成されることもできる。
【００１６】
飲料ボトル１０は、熱エネルギー貯蔵物質２８を含んでよい。熱エネルギー貯蔵物質２８は、ゲルパックなどに用いられる無害な物質などの、再冷凍可能な物質および／もしくは再加熱可能な物質から形成されたゼリー状の物質であることが好ましい。しかし、当業者は本開示から、任意の適した冷凍可能もしくは加熱可能な物質が本発明の範囲から逸脱することなく用いられることができることを理解するであろう。
【００１７】
図１を参照すると、消費可能な飲料のための２区画部飲料ボトル１０が示される。飲料ボトル１０は、再利用可能であることが好ましく、消費可能な飲料２０を加熱するか、冷却するかのいずれかをなすようになっている。
【００１８】
飲料ボトル１０は、図１の下部に示される第１の区画部１２を含む。第１の区画部１２は、消費可能な飲料２０を収容するようになっているキャビテイ３０を規定している。第１の区画部１２は１枚パネル張りか、もしくは、熱エネルギー貯蔵物質２８がその間に位置する２枚パネル張り（図示されるように）であることができる。第１の区画部は、消費可能な飲料２０を受けるキャビテイを形成する内側パネル２６を含むことが好ましい。外側パネル２４は、内側パネル２６と共に、外側パネル２４とほぼ同一の広がりを有する室２７を形成している。
【００１９】
内側並びに外側パネル２４、２６は、室２７内の熱エネルギー貯蔵物質２８が第１の区画部１２の外観に影響を及ぼすように、ほぼ半透明であることが好ましい。内側並びに外側パネル２４、２６は、超音波溶接、接着剤などで、相互に取り外し不可能に取着されることが好ましい。
【００２０】
第１の区画部は、ほぼ円形状の口３１を有することが好ましい。口３１の外側の周囲には、第１の区画部１２から径方向外方に延びたフランジフランジ３２が設けられている。第２の区画部１４と係合するために、少なくとも１つのねじ山１６が、フランジ３２の上方に位置することが好ましい。熱エネルギー貯蔵物質２８は、室２７内に位置することが好ましい。第１の区画部１２は、縦軸に直角な断面が、第１の区画部１２の高さに沿ってほぼ円形状であり、ベース２２から上向きに延在することが好ましい。
【００２１】
第２の区画部１４は、ねじ接続で第１の区画部１２に取り外し可能に取着されることが好ましく、少なくとも１つの添加剤６２を保持するようになっている。カラー３４は、第２の区画部の底面から下向きに延在し、ねじ１８を内面に含むことが好ましい。しかし、本発明の範囲から逸脱することなく、第１の区画部１２および第２の区画部１４を取り外し可能もしくは恒久的に取着するように、任意の機構が用いられることができる。スプーン／スコップ６０（図２に示される）が用いられて、添加剤６２をボトル１０内に配置することができる。しかし、当業者は本開示から、本発明の範囲から逸脱することなく、第２の区画部１４が取り外し不可能に第１の区画部１２に取り付けられることができることを理解するであろう。
【００２２】
図２、７、７Ａ、８に最も良く示されるように、第２の区画部１４は、少なくとも１つのチャネル６６を含む。チャネル６６は、楕円形状であることが好ましい。しかし、任意の適した形状が用いられることができる。回転可能なプレート６４を動かすことにより、チャネル６６は、第１の区画部１２および第２の区画部１４を接続する少なくとも１つの通路８６を形成するよう少なくとも１つのチャネル６６が位置づけられる第１の位置（図６Ａおよび７Ａに示される）と、第１の区画部１２および第２の区画部１４が分離されるように少なくとも１つのチャネル６６が位置づけられる第２の位置（図７および９に示される）との間を移動されることができる。
【００２３】
図２および８を参照すると、第２の区画部１４は、ほぼ円形状である断面を有することが好ましい。第１の区画部１２および第２の区画部１４が端と端を接して位置づけられる時、これらがほぼ円筒形状の飲料ボトル１０を好適に形成するように、第１の区画部１２と第２の区画部１４との断面は、ほぼ等しいことが好ましい。第２の区画部１４は、側壁を形成する環状パネル３８を有し、底面プレート４２によって形成される底を有することが好ましい。底面プレート４２は、これを貫通した開口４４を規定してよい。開口４４の数および形状は、回転可能なプレート６４のチャネル６６のものと同じであることが好ましいが、このことは必然ではない。
【００２４】
回転可能なプレート６４は、底面プレート４２に回転可能に接続され、これを貫通した少なくとも１つのチャネル６６を規定することが好ましい。回転可能なプレートが、チャネル６６が第１の位置にあるように構成される場合、少なくとも１つの開口４４および少なくとも１つのチャネル６６はアラインメントされ、第１の区画部１２および第２の区画部１４を接続する少なくとも１つの通路８６を形成している。
【００２５】
図６および６Ａを参照すると、少なくとも１つの案内柱６８が回転可能なプレート６４上に位置することが好ましい。案内柱６８は、回転プレート６４の上部からほぼ上向きに延在し、ほぼ円錐形状を有することが好ましい。少なくとも１つのシャフト７０が、蓋４０の内面７２からほぼ下向きに延在することが好ましい。シャフト７０は円筒形状であり、案内柱６８にわたってスライドするサイズにされ、蓋４０の回転により回転可能なプレート６４が回転するように、蓋４０を回転可能なプレート６４に係合することが好ましい。飲料ボトル１０が２つの案内柱６８とこれにわたってスライドする２つのシャフト７０を含むことが好ましいが、必然ではない。しかし、当業者は本開示から、本発明の範囲から逸脱することなく、蓋４０が第２の区画部１４に取着されることができることを理解するであろう。
【００２６】
蓋４０が回転可能プレート６４を回転しない場合、レバーもしくは、動力スイッチやソレノイドを含む任意のその他の適した機構を操作することによって、第２の区画部１４の部分をひねることにより、回転可能プレート６４が動かされることができる。一実施形態において、本発明の範囲から逸脱することなく、第１の区画部１２および第２の区画部１４は、相互に取着されることができ、蓋４０は恒久的にもしくは恒久的にではなく、第２の区画部１４に取り付けられることができる。この場合、スイッチもしくはその他の機構が用いられて、チャネル６６を用いて通路８６を形成することができ、液体が蓋カバー５６と通路８６とを通って、第１の区画部キャビテイ３０に導入されることができる。そこで、チャネル６６は動かされて第１の区画部１２および第２の区画部１４を分離することができ、少なくとも１つの添加剤が蓋カバーを介して挿入されることができる。
【００２７】
図７、７Ａを参照すると、回転可能なプレート６４は、この周辺の少なくとも部分に沿って案内スロット７８を含むことが好ましい。回転可能なプレート６４は、案内スロット７８内に延在する第１の突起８０Ａおよび第２の突起８０Ｂを含むことが好ましい。図８に最も良く示されるように、案内スロット７８とのスライド可能な係合のために、第２の区画部の内壁に沿ってストッパーが位置することが好ましい。第１の突起８０Ａおよび第２の突起８０Ｂは、少なくとも１つのチャネル６６が第１および第２の位置（図７Ａ、７にそれぞれ示される）のいずれか一方から動かされるように、回転可能なプレート６４に対する抵抗を与えるように構成されている。
【００２８】
図１および２を参照すると、スロットカバー７９が回転可能なプレート６４から延在して案内スロット７８およびストッパー８２を覆い、ストッパー８２と案内スロット７８との間のスムーズな運転を潜在的に妨げうる、案内スロット７８に入るボトル１０の内容物の量を減少させることが好ましい。
【００２９】
図２および６を参照すると、蓋４０は第２の区画部１４に取り外し可能に係合されることが好ましい。飲料ボトル１０は、少なくとも１つのチャネル６６が第１の位置にある時に、第１の区画部１２からの消費可能な飲料２０が第２の区画部１４に入ることを可能にするようになっている。蓋４０の回転によって、少なくとも１つのチャネル６６が第１および第２の位置の間で移動されることが好ましい。図２に最も良く示されるように、蓋４０は、第２の区画部１４の上縁７６を受けるよう構成される、周方向の溝７４を含んでよい。周方向の溝７４は、蓋４０が第２の区画部１４の上縁７６に沿ってスライドすることを可能にしている。
【００３０】
図３および４を参照すると、蓋は、ユーザがボトルから飲むことを可能にするように取り外され、もしくは動かされることのできるカバー５６を含んでよい。カバーストラップ５８は、カバー５６を蓋４０に取着するために用いられることができる。蓋４０はまた、その上にハンドル５０を有していてもよい。蓋はまた、蓋４０が第２の区画部１４に取着されていない場合に、蓋４０の取り外しを容易にするようにつまみを有してもよい。飲料ボトル１０は、少なくとも１つの通路８６が消費可能な飲料２０と少なくとも１つの添加剤６２を混ぜるために用いられた後に、ボトルが再利用されることができるように、飲料ボトル１０が第１の区画部１２および第２の区画部１４が分離されて維持されるよう再び構成されるように、少なくとも１つのチャネル６６が第２の位置に移動されることができるように構成されることが好ましい。
【００３１】
本発明の一態様にしたがった飲料ボトル１０を組み立てる方法は以下の通りである。本発明のステップは、本発明の範囲から逸脱することなく、任意の順序で行われることができる。方法は、消費可能な飲料２０をその中に収容するようになっているキャビテイ３０を規定している第１の区画部１２を提供することを含んでいる。第１の区画部１２は、口３１を規定する。少なくとも１つの添加剤６２を保持するようになっている第２の区画部１４を提供する。口３１が密閉されることができるよう、第２の区画部１４を第１の区画部１２に取り付ける。蓋４０を第２の区画部１４に取り付け、蓋４０を第１の方向に回転させることで、第１の区画部１２および第２の区画部１４の間に少なくとも１つの通路８６が作られ、蓋４０を第２の反対の方向に回転させることで、第１の区画部１２および第２の区画部１４が分離され、飲料ボトル１０の動作は、第１の区画部１２および第２の区画部１４を分離する部分に損傷を与えず、したがって、飲料ボトル１０が、第１の区画部１２および第２の区画部１４を用いて、他の消費可能な飲料および他の少なくとも１つの添加剤を再び分離して維持するのに再利用されることを可能としている。
【００３２】
図１ないし９を参照すると、飲料ボトル１０の一実施形態は以下のように動作する。第１の区画部１２は、冷蔵庫で冷却され、もしくは電子レンジで加熱される。そして、消費可能な飲料２０が第１の区画部のキャビテイ３０内に配置される。
【００３３】
その後、第２の区画部１４のカラー３４が、第１の区画部１２の口３１にわたって挿入され、第１の区画部１２および第２の区画部１４は相互にねじで留められている。第１の区画部１２および第２の区画部１４は、第１の区画部１２の上部が第２の区画部１４の下部のガスケット３６に当接するまで、相互にねじ留めされることが好ましい。
【００３４】
ストッパー８２は、チャネル６６を、第１の区画部１２および第２の区画部１４を分離する第２の位置に固定するように、第２の突起８０Ｂと係合する、ことが好ましい。少なくとも１つの添加剤６２が、スプーン／スコップ６０などを用いて、もしくは第２の区画部内に直接加えられて、第２の区画部１４の中に配置されることができる。
【００３５】
そこで、蓋４０は、蓋のシャフト７０が回転可能なプレート案内柱６８にわたってアラインメントされるように位置づけられる。そこで、蓋４０は、第２の区画部１４の上縁７６が蓋４０内の周方向の溝７４に挿入され、蓋のシャフト７０は案内柱６８にわたってスライドされるように、第２の区画部１４の上に下向きに低くされる。そこで、カバー５６が閉じ位置に固定され、飲料ボトルは運搬／使用準備が整う。
【００３６】
消費可能な飲料２０と添加剤の混合が所望されると、ユーザは蓋４０を回転させて、シャフト７０と案内柱６８との係合により、回転可能なプレート６４を第１の位置に動かす。回転可能なプレート６４を第２の位置から第１の位置まで動かすと、回転可能なプレートは、飲料ボトル１０が第１の位置に固定されるように、十分なトルクで回転して、ストッパー８２を第２の突起８０Ｂを通過させ、案内スロット７８をスライドして、第１の突起８０Ａを通過させる。
【００３７】
飲料ボトルが第１の位置にチャネル６６を有する場合、少なくとも１つの通路８６が第１および第２の区画部の間に形成され、消費可能な飲料２０および添加剤が混合されることを可能にしている。そこで、ユーザは所望であれば、飲料ボトルを振って混合を早めることができる。そこで、ユーザが混合物を飲もうと望む場合、飲むためにカバー５６が取り外される。
【００３８】
本発明の多様な実施形態について、多様な形状、構成、および特徴が上記に説明され、図面に示されたが、当業者は本開示から、本発明の範囲から逸脱することなく、上記の特徴の任意の組み合わせが用いられることができることを理解するであろう。たとえば、飲料ボトルは、円形状ではなく直線的な断面を有することができる。また、第２の飲み口が第１の区画部に直接取り付けられて、添加剤６２を飲料２０と混合することなく、消費可能な飲料２０の消費を可能にすることもできる。さらに、本発明の範囲から逸脱することなく、第２の区画部１４はまた、熱エネルギー貯蔵物質２８を含むこともできる。したがって、飲料ボトルの上述の実施形態の広い発明的概念から逸脱することなく、これに変更がなされることが、当業者によって認識される。したがって、本発明は開示された特定の実施形態に限定されず、添付の特許請求の範囲に定義され、および／もしくは添付の図面に示される、本発明の精神と範囲内のすべての変更をカバーするよう意図されることが理解される。
【図面の簡単な説明】
【００３９】
【図１】第１の区画部から分離された第２の区画部および蓋を説明する、本発明の好ましい実施形態にしたがった飲料ボトルの部分分解斜視図であり、第１の区画部は図面の下部に消費可能な飲料を含んで示され、第１の区画部は間に熱エネルギー貯蔵物質を含む内側および外側のパネルで形成されることが好ましいが必然ではなく、少なくとも１つの添加剤を中に保持するようになっている第２の区画部は図面の上部に示され、第２の区画部の底はこれを貫通した開口を有する底面プレートで形成されることが好ましく、開口は底面プレートの内面に沿って位置する回転可能なプレートの部分によって閉鎖されて示される。
【図２】図１の飲料ボトルの部分分解斜視図であり、第１および第２の区画部から分離された蓋を示し、第２の区画部の内部には、貫通したチャネルを規定している回転可能なプレートがあり、回転可能なプレートの上部には案内柱があり、蓋の内面にはほぼ下向きに延在して案内柱とはめ合うシャフトがあり、添加剤を含むスコップが示され、蓋は下端に第２の区画部の上縁を受けて蓋が第２の区画部に沿って回転することを可能にする周方向の溝を含む。
【図３】完全に組み立てられた図１の飲料ボトルの斜視図である。
【図４】図１の飲料ボトルの拡大切り欠き斜視図であり、蓋および第２の区画部の部分を説明する。
【図５】図１の飲料ボトルの蓋の上面図である。
【図６】図５の飲料ボトルの、図５の線６‐６における断面図であり、消費可能な飲料および少なくとも１つの添加剤を分離した区画部に保持する飲料ボトルを説明し、回転可能なプレートはこれによってチャネルが底面プレートの部分によって閉鎖されるよう構成され、蓋のシャフトは回転可能なプレートの案内柱に係合される。
【図６Ａ】図６と同様の切り欠き断面図であり、消費可能な飲料および少なくとも１つの添加剤が混合されることを可能にするプロセスにおける飲料ボトルを説明し、回転可能なプレートのチャネルは第１の位置にあり、底面プレートの開口とアラインメントされて流体の流れ、添加剤の運搬、混合が、２つの区画部の間において生じることを可能にする少なくとも１つの通路を形成している。
【図７】図６の線７‐７における図６の飲料ボトルの断面図であり、第１および第２の区画部が分離されるように少なくとも１つのチャネルが第２の位置にあるように構成された回転可能なプレートを説明し、案内スロットは回転可能なプレートの周辺の部分に沿って位置し、回転可能なプレートは案内スロット内に延在する第１および第２の突起を有し、第２の突起は第２の区画部の内面に位置してチャネルが第２の位置から移動されるように動作される回転可能なプレートに抵抗を与えるストッパーと係合して示されている。
【図７Ａ】図７と同様の断面図であり、少なくとも１つのチャネルが少なくとも１つの開口とアラインメントされて第１と第２の区画部を接続する少なくとも１つの通路を形成するように少なくとも１つのチャネルが第１の位置にあるように回転可能なプレートが構成され、第１の突起が、第２の区画部の内面に位置して、チャネルが第１の位置から移動されるように動作される回転可能なプレートへの抵抗を与えるストッパーと係合して示される。
【図８】図１の飲料ボトルの第２の区画部の分解図であり、底面プレートから分離された回転可能なプレートを説明し、シャフトは回転可能なプレートから下向きに延在してこの遠位端に外側に延在するフランジを有し、フランジは、好適に２つのプレートを共に回転可能に固定する物質の弾性によって底面プレートのボアを通じて進められる。
【図９】図１の飲料ボトルの切り欠き断面図であり、消費可能な飲料および少なくとも１つの添加剤の分離を保つ第２の位置におけるチャネルを説明する。
【図１】
2008120456.tif 000003
【図２】
2008120456.tif 000004
【図３】
2008120456.tif 000005
【図４】
2008120456.tif 000006
【図５】
2008120456.tif 000007
【図６】
2008120456.tif 000008
【図６Ａ】
2008120456.tif 000009
【図７】
2008120456.tif 000010
【図７Ａ】
2008120456.tif 000011
【図８】
2008120456.tif 000012
【図９】
2008120456.tif 000013
【外国語明細書】
2008120456000001.pdf